(57)【要約】【課題】ディスク再生装置自体の高さ寸法を抑えることができるうえ、、装置の小型化に伴うコスト削減を図ることのできる再生装置を提供する。【解決手段】ドライブシャーシ３００の側板部３２０にクランパ４００の軸部４３０を嵌入自在な切り欠き部３２５を形成し、この切り欠き部３２５の近傍にクランパ４００の軸部４３０に押圧力を付勢しながら、この軸部４３０を側板部３２０の上辺部３０１に沿って移動させるとともに、切り欠き部３２５内に軸部４３０を嵌入させるための押圧ばね部材３３５を設ける。【選択図】        図５−２
2006244682.tif 000002
【特許請求の範囲】
【請求項１】
記録媒体を再生可能位置にセット、又は挿入・排出機構を備えた再生装置であって、
前記挿入・排出機構は、記録媒体を保持するクランパと、
前記記録媒体を再生する再生部を備えたドライブシャーシとを備え、
前記ドライブシャーシには、前記クランパを前後方向および上下方向にガイドするためのガイド部が設けられていることを特徴とする再生装置。
【請求項２】
前記クランパには、該クランパを前記ドライブシャーシに摺動可能に保持する押圧力が付勢されていることを特徴とする請求項２に記載の再生装置。
【請求項３】
記録媒体を再生可能位置にセット、又は挿入・排出機構を備えた再生装置であって、
前記挿入・排出機構は、記録媒体を保持するクランパと、
前記記録媒体を再生する再生部を備えたドライブシャーシとを備え、
前記ドライブシャーシには、該クランパを前記ドライブシャーシに摺動可能に保持する押圧力を付勢するとともに、前記クランパを前後方向にガイドするガイド部材が設けられていることを特徴とする再生装置。
【請求項４】
記録面を保護する防塵シャッタを有する記録媒体を再生可能位置にセット、又は排出するための挿入・排出機構を備えた再生装置であって、
前記挿入・排出機構は、前記記録媒体を保持するクランパを備え、
前記クランパは、前記記録媒体の側面をガイドするとともに、該記録媒体の挿入時に、前記防塵シャッタを開く機能を有する側面ガイド部を備えていることを特徴とする再生装置。
【請求項５】
前記クランパは、前記記録媒体の上面をガイドする上面ガイド部をさらに有し、前記側面ガイド部と前記上面ガイド部とで記録媒体をガイドしつつ保持することを特徴とする請求項４に記載の再生装置。
【請求項６】
前記クランパを駆動する駆動部材をさらに備え、該駆動部材の、前記上面ガイド部に対応する部分には、該上面ガイド部が嵌入自在な切り欠き部又は孔が設けられていることを特徴とする請求項５に記載の再生装置。
【請求項７】
記録媒体を再生可能位置にセット、又は排出する挿入・排出機構を備えた再生装置であって、
前記記録媒体に記録された記録情報の再生を行なう再生部を備えるとともに、該記録媒体を再生中はフローティング状態で保持されるドライブシャーシと、前記記録媒体がセットされていない状態では、前記ドライブシャーシをフローティング状態の位置よりも低い位置で保持する高さ調整機構を備えることを特徴とする再生装置。
【発明の詳細な説明】
【技術分野】
【０００１】
本発明は、ＭＤ（Ｍini Disc）などに記録された音楽などを再生する再生装置に関し、特に、ＭＤなどディスクの挿排を行なうディスク挿入・排出機構を備えた再生装置に関する。
【背景技術】
【０００２】
近年では、自動車に備えるオーディオ機器としてＭＤに記録された音楽を再生する車載用のディスク記録・再生装置が広く普及している。このディスク記録・再生装置は、ＭＤのディスク面に記録された情報をピックアップの対物レンズを介して読み取り音楽などに再生する機能を備えている。具体的には、ピックアップによりレーザビームを対物レンズを介してＭＤの記録面に照射し、このＭＤから反射された反射光をＲＦ信号として取得し、このＲＦ信号をアナログ信号に変換することで、ＭＤに記録された情報（例えば、音楽情報）を読み取るようにしている。一方、書き換え可能なＭＤの場合には、利用者が好みの音楽などをＭＤに記録することもできる。
【０００３】
（従来のディスク記録・再生装置１００ａの概略構成）
ここで、先ず、図１２を参照して、従来のディスク記録・再生装置１００ａについて説明する。図１２は、従来のディスク記録・再生装置１００ａの概略構成を示す図である。同図に示すように、ディスク記録・再生装置１００ａは、筐体（メインフレーム）としてのデッキシャーシ２００の内部に、ドライブシャーシ３００と、クランパ４００と、挿排レバー５１１が連結された挿排ホルダ５００と、昇降レバー６００ａとを組み付けることにより構成されている。また、クランパ４００の下方部には、記録・再生部８００とピックアップ８１０とが設けられている。
【０００４】
クランパ４００は、ディスク記録・再生装置１００ａの内部で、上下に移動（昇降）することにより、利用者が挿入したＭＤなどを記録・再生部８００まで移送する機能を備えている。
【０００５】
挿排ホルダ５００は、クランパ４００内に挿入されたＭＤを把持アーム５２０の爪部５３０により把持するとともに、この挿排ホルダ５００に連結された挿排レバー５１１の移動とともに、ＭＤをクランパ４００内部の所定位置まで移動させる機能を備えている。
【０００６】
昇降レバー６００ａは、ドライブシャーシ３００およびクランパ４００を支持するとともに、ＭＤの挿入時にクランパ４００を記録・再生部８００の位置まで降下させる機能を備えている。また、ＭＤの排出時にクランパ４００を記録・再生部８００から上昇させ、排出する機能を備えている。
【０００７】
記録・再生部８００は、ＭＤに記録された情報を読み取るピックアップ８１０と、移送されたＭＤを載置するターンテーブル８１１とにより構成されている。また、ドライブシャーシ３００の上部位置とデッキシャーシ２００との間には、支持スプリング３７０（図１５−１）が取り付けられるとともに、ドライブシャーシ３００の底部位置には、ダンパ部材３６４が設けられている。これによって、ドライブシャーシ３００は、支持スプリング３７０とダンパ部材３６４とによりフローティング可能に支持されている。
【０００８】
また、７００ａは、クランパ４００を記録・再生部８００まで移送するための駆動モータ７０５ａと、この駆動モータ７０５ａのウォームギヤ７１０ａおよび複数の伝達ギヤ７２０ａ〜７４０ａとからなる移送駆動機構で、この移送駆動機構７００ａによる駆動力は、挿排レバー５１１から挿排ホルダ５００に伝達され、この挿排ホルダ５００をクランパ４００の所定位置まで移送させることができる。
【０００９】
また、後述するように、挿排ホルダ５００が移動した後、さらにこの移送駆動機構７００ａによる駆動力が、昇降レバー６００ａに伝達され、この昇降レバー６００ａの移動にともなってクランパ４００は降下を開始し、このクランパ４００の降下により挿排ホルダ５００の把持アーム５２０に把持されたＭＤを記録・再生部８００のターンテーブル８１１まで移送するようにしている。
【００１０】
（挿排ホルダ５００および昇降レバー６００ａの移動機構）
次いで、図１３および図１４を参照して、従来のディスク記録・再生装置１００ａにおける挿排ホルダ５００および昇降レバー６００ａの移動機構の詳細について説明する。図１３は、挿排ホルダ５００および昇降レバー６００ａによる移動機構の概要を、図１４は、図１３の要部拡大図をそれぞれ示している。
【００１１】
すなわち、図１３および図１４に示すように、挿排ホルダ５００に連結された挿排レバー５１１の側板部には、ラックレバー６８０ａが前後方向(図の上下方向)に摺動可能に取り付けられ、昇降レバー６００ａの側面部には短尺状のラックレバー６８０ｂが固設されている。これらラックレバー６８０ｂとラックレバー６８０ａとは、一部が重なるように隣接して配設されている。また、これらラックレバー６８０ａとラックレバー６８０ｂにはラック歯６８８とラック歯６８９とがそれぞれ形成され、これらラック歯６８８、６８９と伝達ギヤ７４０ａに形成されたピニオンギヤ７４１ａとが噛合っている。
【００１２】
さらに、ラックレバー６８０ａのほぼ中央部には長通孔６８１ａが形成され、この長通孔６８１ａにはラックレバー６８０ｂに設けたダボ６８５が摺動自在に嵌入されている。なお、挿排レバー５１１とラックレバー６８０ａとは、引っ張りばね６９０ａにより連結されている。
【００１３】
以上のように構成される挿排ホルダ５００および昇降レバー６００ａの移動機構において、駆動モータ７０５ａの駆動がウォームギヤ７１０ａから伝達ギヤ７２０ａ〜伝達ギヤ７４０ａに伝達され、この伝達ギヤ７４０ａが時計方向（図１４のＡ方向）に回転すると、この伝達ギヤ７４０ａのピニオンギヤ７４１ａと噛合しているラックレバー６８０ａが後方（図１４の上方向）へ移動を開始するため、これにより挿排レバー５１１はＭＤの引き込み方向である後方に向けて移動を開始する。
【００１４】
次いで、ラックレバー６８０ａに形成した長通孔６８１ａの端部（図１４の下側）がラックレバー６８０ｂのダボ６８５の位置まで到達すると（図１４の実線部分）、ラックレバー６８０ｂはラックレバー６８０ａに引張られて、ラックレバー６８０ａと同様に後方への移動を開始する。
【００１５】
以下、さらに移送駆動機構７００ａの駆動により、伝達ギヤ７４０ａのピニオンギヤ７４１ａは、ラックレバー６８０ａとラックレバー６８０ｂとのオーバーラップ部（重なり部分）を乗り越えて、ラックレバー６８０ａのラック歯６８８との噛合を離脱し、次いで、ラックレバー６８０ｂのラック歯６８９と噛合する。
【００１６】
これにより、移送駆動機構７００ａの駆動力は、ラックレバー６８０ｂに伝達されるため、このラックレバー６８０ｂに連結された昇降レバー６００ａが後方へ向けて移動を開始し、以下、この昇降レバー６００ａの後方への移動によりクランパ４００が降下を開始することとなる。なお、このクランパ４００の降下動作についての詳細は、後述する。
【００１７】
（ディスク記録・再生装置１００ａにおけるＭＤの挿排機構）
次いで、図１５−１〜図１５−３を参照して、ディスク記録・再生装置１００ａに備えたクランパ４００および昇降レバー６００ａによるＭＤの挿排動作の概略を説明する。ここで、図１５−１は、ＭＤをディスク記録・再生装置１００ａに挿入する以前の状態を、図１５−２は、利用者によりＭＤが挿入された時の状態を、図１５−３は、ＭＤの挿入完了時の状態をそれぞれ示す図である。
【００１８】
すなわち、図１５−１に示すように、ＭＤの未挿入時、昇降レバー６００ａは、デッキシャーシ２００の前端部（図１５−１の右側）に位置し、この時、クランパ４００の側面部に固設された４箇所（ただし、図では手前側２箇所のみ記載）の軸部４３０は、第１の溝部６３０ａの平行溝６３１にそれぞれ嵌入された状態となっている。また、ドライブシャーシ３００の側面部に固設された４箇所（ただし、図では手前側２箇所のみ記載）の軸部３４０は、第２の溝部６４０ａの平行溝６４１にそれぞれ嵌入された状態となっている。クランパ４００とドライブシャーシ３００とは引っ張りばね４１１により連結されている。
【００１９】
次いで、図１５−２に示すように、図１５−１の状態から、ディスク記録・再生装置１００ａの利用者がＭＤを挿入すると、挿排ホルダ５００の把持アーム５２０の爪部５３０（図１９）によりＭＤが把持されるとともに、この挿排ホルダ５００は、僅かに後退し、この後退にともない挿入検知スイッチ（図示せず）が動作するため、移送駆動機構７００ａによる駆動が開始される。
【００２０】
具体的には、駆動モータ７０５ａによる駆動力がウォームギヤ７１０ａにより伝達ギヤ７２０ａ〜７４０ａからラックレバー６８０ａを経て挿排レバー５１１に伝達される。このため、挿排レバー５１１に連結された挿排ホルダ５００がＭＤを把持した状態でクランパ４００内を後方に向けて移動し、ＭＤをクランパ４００内の所定位置まで引き込むことができる。
【００２１】
さらに、昇降レバー６００ａは、移送駆動機構７００ａの駆動により、後部（図１２の上側）に向けて移動を開始する。このため、図１５−２に示すように、第１の溝部６３０ａの平行溝６３１に嵌入されている軸部４３０は、第１の溝部６３０ａの平行溝６３１から斜行溝６３２を経て下方に移動するため、これにともなって、クランパ４００は引っ張りばね４１１の弾力により降下を開始する。
【００２２】
以下、図１５−３に示すように、クランパ４００の軸部４３０およびドライブシャーシ３００の軸部３４０とはそれぞれ第１の溝部６３０ａおよび第２の溝部６４０ａの円孔溝６３３、６４３まで移動し停止する。このとき、ＭＤはターンテーブル８１１（図１２）上に載置され、クランパ４００の降下動作が停止する。なお、同図に示すように、ＭＤの挿入完了時には、クランパ４００およびドライブシャーシ３００の軸部４３０、３４０は、昇降レバー６００ａの円孔溝６３３、６４３のほぼ中心部に位置しているため、昇降レバー６００ａとは接触してはおらず、これによって、ダンパ部材３６４と支持スプリング３７０とによってデッキシャーシ２００の内部でフローティング状態で保持されることとなる。
【００２３】
以上説明したように、ディスク記録・再生装置１００ａにおいて、利用者により挿入されたＭＤは、クランパ４００の内部に設けられた挿排ホルダ５００の把持アーム５２０の爪部５３０に把持されるとともに、クランパ４００の内部を移動し、昇降レバー６００ａの移動により、記録・再生部８００の位置まで下降し、この記録・再生部８００のターンテーブル８１１に載置（セット）される。以下、ターンテーブル８１１は、スピンドルモータ（図示せず）の駆動により回転し、ピックアップ８１０によりＭＤに記録された記録情報の読み取りが行なわれ、ＭＤ記録された情報（例えば、音楽情報）を再生することとなる。
【００２４】
（ＭＤの概略および防塵シャッタの開閉機構）
次いで、図１６を参照して、ＭＤの概略および防塵シャッタの開閉機構について、説明する。すなわち、図１６に示すように、ＭＤは、ディスク１１１と、カートリッジ１１２と、Ｕ字形状をしたスライド自在の防塵シャッタ１１３および係止ばね１１４とにより構成されている。ディスク１１１には音楽情報などが記録され、カートリッジ１１２内に回転可能に内蔵されている。また、このカートリッジ１１２の表裏両面には、窓部１１１ａが形成され、この窓部１１１ａにディスク１１１の記録面に付着する傷、ごみ、汚れなどを保護する防塵シャッタ１１３が設けられている。
【００２５】
また、この防塵シャッタ１１３の上部には係止爪１１５が設けられ、さらに側面部（図の右側）には係合孔１１６が形成されている。すなわち、ＭＤが挿入されていない時（未セット時）には、防塵シャッタ１１３の係止爪１１５と、係止ばね１１４の係止部１１７とが互いに係合することで、防塵シャッタ１１３をロックし、これにより防塵シャッタ１１３が不意に開いてしまうことを防止している。
【００２６】
一方、クランパ４００を構成する側板部４２０には、この側板部４２０の内側からそれぞれ突設した係止ばね１１８と側板片４１９とが設けられている。係止ばね１１８は、防塵シャッタ１１３の係合孔１１６内に嵌入可能に形成され、弾力（ばね圧）により防塵シャッタ１１３を所定の位置に固定する機能を備えている。
【００２７】
側板片４１９は、ＭＤの挿入時に係止ばね１１４に当接し、この係止ばね１１４を内方に向けて押圧することにより、この係止ばね１１４の係止部１１７と防塵シャッタ１１３の係止爪１１５との係合を解除し、その後、さらにＭＤが挿入されると、側板片４１９が係止爪１１５と当接して、防塵シャッタ１１３を開口させる機能を備えている。
【００２８】
一方、ＭＤの排出時は、このＭＤの排出動作にともない、係止ばね１１４に対する側板片４１９による押圧が解除され、一方、係止ばね１１８が係合孔１１６に係合して防塵シャッタ１１３を閉じる方向にスライドさせ、最後に、防塵シャッタ１１３の係止爪１１５と係止ばね１１４の係止部１１７とが係合して防塵シャッタ１１３が閉じられる。
【００２９】
以上説明したディスク記録・再生装置の従来技術として、例えば、特許文献１には、挿排ホルダや挿排レバーを用いることなくローラを利用して、ＭＤをクランパ内に引き込むカートリッジの搬送装置について記載されている。
【００３０】
【特許文献１】特開２０００−２２２８０５号公報
【発明の開示】
【発明が解決しようとする課題】
【００３１】
上述した従来のディスク記録・再生装置１００ａは、装置１００ａ自体が大型化してしまうという問題があった。すなわち、従来のドライブシャーシ３００の側板部３２０（図４−４）には、クランパ４００の軸部４３０を上下に昇降移動させるための切り欠き部３２５が形成されており、これにより、クランパ４００は上下動方向にのみ移動する構成としている。そのため、ＭＤの排出ストロークは、全て挿排ホルダ５００の移動量に頼らざるを得ず、これによって、挿排ホルダ５００の駆動機構が嵩張り、この結果、装置１００ａ自体が大型化するという問題があった。
【００３２】
また、従来のディスク記録・再生装置１００ａの場合には、この装置１００ａ自体の全高を抑えることが難しいという問題があった。すなわち、従来ではクランパ４００のガイド部によりＭＤの上部をガイドしているため、このＭＤの高さよりもクランパ４００のガイド部が高くなることから、構造上このクランパ４００の上面を覆っている昇降レバー６００ａとのクリアランスを確保するためには、この昇降レバー６００ａ自体の高さ寸法を高くする必要があるため、この結果、再生装置１００ａの全高を抑えることが難しいという問題がある。
【００３３】
また、従来では、ディスク記録・再生装置１００ａの内部に設けられたドライブシャーシ３００の高さ位置はほぼ一定となっており、ＭＤの排出時には、クランパ４００のみが所定量だけ上昇する機構となっている。
【００３４】
このため、従来のディスク記録・再生装置１００ａの高さは、高さ位置が固定されたドライブシャーシ３００の高さと、クランパ４００の上昇量と、このクランパ４００と昇降レバー６００ａとのマージンを考慮した厚さとなるため、ディスク記録・再生装置１００ａ全体の厚さ寸法を抑えることができないという問題がある。
【００３５】
また、特許文献１に記載されたカートリッジの搬送装置の場合、ローラの利用により、挿排ホルダや挿排レバーを用いることなくＭＤの挿排を行なうことができ、これにより、装置の小型化を図ることが可能であるが、ローラの駆動力が左右不均一になりやすく、この結果、ディスクを真直に引き込む（押し出す）ことが困難となるという問題がある。具体的には、挿排動作の途中でＭＤが斜行してしまい内部で引っ掛かるなどの問題を生じる恐れがある。
【００３６】
そこで、この発明は、上述した従来技術による問題点を解消するためになされたものであり、ディスク再生装置自体の高さ寸法を抑えることができるうえ、装置の小型化に伴うコスト削減を図ることのできる再生装置を提供することを目的とする。
【課題を解決するための手段】
【００３７】
上述した課題を解決し、目的を達成するために、請求項１に係る発明は、記録媒体を再生可能位置にセット、又は挿入・排出機構を備えた再生装置であって、前記挿入・排出機構は、記録媒体を保持するクランパと、前記記録媒体を再生する再生部を備えたドライブシャーシとを備え、前記ドライブシャーシには、前記クランパを前後方向および上下方向にガイドするためのガイド部が設けられていることを特徴とする。
【００３８】
また、請求項２に係る発明は、請求項１に記載の発明において、前記クランパには、該クランパを前記ドライブシャーシに摺動可能に保持する押圧力が付勢されていることを特徴とする。
【００３９】
また、請求項３に係る発明は、記録媒体を再生可能位置にセット、又は挿入・排出機構を備えた再生装置であって、前記挿入・排出機構は、記録媒体を保持するクランパと、前記記録媒体を再生する再生部を備えたドライブシャーシとを備え、前記ドライブシャーシには、該クランパを前記ドライブシャーシに摺動可能に保持する押圧力が付勢するとともに、前記クランパを前後方向にガイドするガイド部材が設けられていることを特徴とする。
【００４０】
また、請求項４に係る発明は、記録面を保護する防塵シャッタを備えた記録媒体を再生可能位置にセット、又は挿入・排出機構を備えた再生装置であって、前記挿入・排出機構は、記録媒体を保持するクランパを備え、前記クランパは、前記記録媒体の側面をガイドするとともに、該記録媒体の挿入時に、前記防塵シャッタを開く機能を有する側面ガイド部を備えていることを特徴とする。
【００４１】
また、請求項５に係る発明は、請求項４に記載の発明において、前記クランパは、前記記録媒体の上面をガイドする上面ガイド部をさらに有し、前記側面ガイド部と前記上面ガイド部で記録媒体をガイドしつつ保持することを特徴とする。
【００４２】
また、請求項６に係る発明は、請求項５に記載の発明において、前記クランパを駆動する駆動部材をさらに備え、該駆動部材の、前記上面ガイド部に対応する部分には、該上面ガイド部が嵌入自在な切り欠き部又は孔が設けられていることを特徴とする。
【００４３】
また、請求項７に係る発明は、記録媒体を再生可能位置にセット、又は挿入・排出機構を備えた再生装置であって、前記記録媒体に記録された記録情報の再生を行なう再生部を備えるとともに、該記録媒体を再生中はフローティング状態で保持されるドライブシャーシと、前記記録媒体がセットされていない状態では、前記ドライブシャーシをフローティング状態の位置よりも低い位置で保持する高さ調整機構を備えることを特徴とする。
【発明の効果】
【００４４】
以上説明したように、請求項１に係る発明によれば、挿入・排出機構は、記録媒体を保持するクランパと、記録媒体を再生する再生部を備えたドライブシャーシを備え、該ドライブシャーシには、クランパを前後方向および上下方向にガイドするためのガイド部が設けられているので、ドライブシャーシによってクランパの前後方向および上下方向への移動を安定した状態で行なうことができるという効果を奏する。
【００４５】
また、請求項２に係る発明によれば、クランパには、該クランパをドライブシャーシに摺動可能に保持する押圧力が付勢されているので、ドライブシャーシによってクランパの前後方向および上下方向への移動を安定した状態で確実に行なうことができるという効果を奏する。
【００４６】
また、請求項３に係る発明によれば、記録媒体を再生可能位置にセット、又は挿入・排出機構を備えた再生装置であって、挿入・排出機構は、記録媒体を保持するクランパと、記録媒体を再生する再生部を備えたドライブシャーシとを備え、ドライブシャーシには、該クランパをドライブシャーシに摺動可能に保持する押圧力を付勢するとともに、クランパを前後方向にガイドするガイド部材が設けられているので、ガイド部材によってクランパの移動を安定した状態で確実に行なうことができるという効果を奏する。
【００４７】
また、請求項４に記載の発明によれば、再生装置は、防塵シャッタをえた記録媒体を再生可能位置にセット、又は排出する挿入・排出機構を備えており、該挿入・排出機構は、記録媒体を保持するためのクランパを備え、該クランパは、記録媒体の挿入・排出時に記録媒体の側面をガイドし、さらに、記録媒体の挿入時に、クランパに備えた側面ガイド部により防塵シャッタを開くことができるので、防塵シャッタを開くための側板片と側面ガイド部を共用することにより、構造の簡略化が図れるという効果がある。また、側面ガイド部は、記録媒体の上部ではなく、当該記録媒体の側面をガイドすることとなり、これによって、記録媒体の高さ以上に側面ガイド部が上方に突出することはないため、この結果、再生装置の高さ寸法が抑えられうえ、再生装置の小型化を実現できるという効果を奏する。
【００４８】
また、請求項５に係る発明によれば、クランパは、記録媒体の上面をガイドする上面ガイド部をさらに有し、側面ガイド部と上面ガイド部とにより、クランパ内に挿入された記録媒体をガイドしつつ保持するので、記録媒体の挿入及び排出を安定した状態で確実に行なうことができるという効果を奏する。
【００４９】
また、請求項６に係る発明によれば、クランパを駆動する駆動部材をさらに備え、該駆動部材の、上面ガイド部に対応する部分には、該上面ガイド部が嵌入自在な切り欠き部又は孔が設けられているので、クランパを構成する上面ガイド部は、駆動部材に設けられた切り欠き部又は孔に嵌入することができ、これにより、上面ガイド部と駆動部材とが干渉することがなく、この結果、再生装置の高さ寸法が抑えられるうえ、再生装置の小型化を実現できるという効果を奏する。
【００５０】
また、請求項７に係る発明によれば、再生装置は、記録媒体の再生中はフローティング状態で保持されるドライブシャーシと、記録媒体がセットされていない状態では、ドライブシャーシをフローティング状態の位置よりも低い位置で保持する高さ調整機構を備えるので、記録媒体の再生時には、ドライブシャーシの高さ位置を上昇させ、記録媒体の排出時には、ドライブシャーシの位置を下降させることが可能となり、これによって、再生装置の高さ寸法が抑えられるうえ、再生装置の小型化を実現できるという効果を奏する。
【発明を実施するための最良の形態】
【００５１】
以下に添付図面を参照して、この発明に係る再生装置の好適な実施例を詳細に説明する。図１は、本発明に係るディスク記録・再生装置１００の全体構成を示す概略図である。また、図２は、同ディスク記録・再生装置１００によるＭＤの挿入完了状態を示す概略図である。また、図３は、同ディスク記録・再生装置１００の内部構成の概略および主要な回路構成を示す図である。
【００５２】
ここで、明細書中に記載されているＭＤの「セット」とは、ディスク記録・再生装置１００の挿入・排出機構により、ＭＤを記録・再生部８００のターンテーブル８１１（図１２）上に載置させ再生可能な状態にすることを示している。また、「挿入」とは、ユーザによってディスク記録・再生装置１００の挿入口に差し込まれたＭＤを、挿入・排出機構により記録・再生部８００の位置まで移送する（引き込む）動作を示しており、「排出」とは、記録・再生部８００にセットされたＭＤを挿入・排出機構により挿入口の位置まで移送する動作を示している。なお、以下に示す各実施例１〜３によりこの発明が限定されるものではない。
【実施例１】
【００５３】
本実施例１に係るディスク記録・再生装置１００は、挿排ホルダ５００によるＭＤの挿排動作とクランパ４００の前後移動とを連動させる移動制御部材９００を備えたことに構成上の特徴がある。これにより、本実施例１では、ＭＤの挿排動作を確実に行なうことができるうえ、従来、備えていた挿排ホルダの移動を行なう挿排レバーおよび挿排レバーの駆動を行なうラックレバーなどの駆動伝達機構を不要とすることが可能となり、この結果、ディスク記録・再生装置１００の小型化を実現することができる。
【００５４】
すなわち、従来のディスク記録・再生装置１００ａ（図１２）によるクランパ４００の動作は、昇降レバー６００ａの上下移動により昇降する構成としていたが、本実施例１のディスク記録・再生装置１００におけるクランパ４００は上下に移動するだけでなくディスク記録・再生装置１００の前後方向（図１の上下方向）に向けて移動する機能を備えている。
【００５５】
また、図１に示すように、移動制御部材９００は、クランパ４００の前後に移動する動作に連動して、所謂、梃子の原理により、挿排ホルダ５００によるＭＤの移送動作を増幅することができる。すなわち、従来のディスク記録・再生装置１００ａ（図１２）では、クランパ４００と、挿排ホルダ５００とは個別に動作していたが、本実施例１では、挿排ホルダ５００とクランパ４００の動作とを、移動制御部材９００により連動させ、これにより、挿排ホルダ５００の移動ストロークを増幅できる構成としている。
【００５６】
具体的に説明すると、駆動部材６００の前後移動にともなうクランパ４００の前後移動に基づいて、移動制御部材９００をクランパ４００に設けた枢軸４６５を中心にして前後方向に動作させ、これにともなって、クランパ４００の内部に設けた挿排ホルダ５００の前後動作を増幅させるようにしている。
【００５７】
すなわち、図１に示すように、クランパ４００による動程をＳ１、ＭＤによる動程をＳ２とすると、移動制御部材９００によるクランパ４００に対する移動制御によって、クランパ４００の動程Ｓ１と比較して、ＭＤによる動程Ｓ２をほぼ倍以上に増幅させることができる。この結果、投影面積を抑止しつつ十分なイジェクトマージンを確保することができＭＤの挿排に係る操作性を向上することができる。
【００５８】
（ディスク記録・再生装置１００の構成）
以下、図１〜図３を参照して、ディスク記録・再生装置１００の構成の詳細について説明する。すなわち、図１〜図３に示すように、ディスク記録・再生装置１００は、筐体（メインフレーム）としてのデッキシャーシ２００と、ドライブシャーシ３００と、このドライブシャーシ３００の内部に設けられるクランパ４００と、同じく、クランパ４００の内部で、ＭＤの挿入および排出方向である前後方向（図１、２の上下方向）に移動するための挿排ホルダ５００と、クランパ４００の上方に設けられる駆動部材６００とにより構成されている。また、クランパ４００と駆動部材６００との間には、移動制御部材９００が設けられている。なお、この移動制御部材９００についての構成および機能の詳細は、後述する。
【００５９】
また、デッキシャーシ２００の後部位置（図１の上側）には、クランパ４００および駆動部材６００を前後方向（図１、２の上下方向）に作動させるための移送駆動機構７００が設けられている。この移送駆動機構７００は、駆動用の駆動モータ７０５と、この駆動モータ７０５の駆動軸に固定されたウォームギヤ７１０と、伝達ギヤ７２０、７３０、７４０とから構成されており、後述するように、この移送駆動機構７００による駆動力は、ウォームギヤ７１０から伝達ギヤ７２０、７３０、７４０を介して、ラックレバー６８０に伝達され、これにより、クランパ４００および駆動部材６００を前後方向に移動させる構成となっている。
【００６０】
また、デッキシャーシ２００の所定位置（図２の後部側）には、駆動部材６００の移動を検知した際に、移送駆動機構７００を動作（ＯＮ）或いは不動作（ＯＦＦ）とするための挿入検知スイッチ６０１および挿入完了検知スイッチ６０２とが取り付けられている。
【００６１】
一方、駆動部材６００の後部側には、この駆動部材６００が移動した際に、挿入検知スイッチ６０１および挿入完了検知スイッチ６０２と当接自在な凸部６２１が形成されている。
【００６２】
挿入検知スイッチ６０１は、利用者によりＭＤの挿入が行なわれた際、駆動部材６００の後方移動にともなう凸部６２１との当接により、ＭＤの挿入が開始されたことを検知し、移送駆動機構７００による動作を開始させる機能を備えている。
【００６３】
また、挿入完了検知スイッチ６０２は、駆動部材６００の後方移動にともなう凸部６２１との当接により、ＭＤの挿入が完了したことを検知し、移送駆動機構７００による動作を停止させる機能を備えている。
【００６４】
すなわち、ディスク記録・再生装置１００の利用者によるＭＤの挿入（押し込み）に伴い、挿入検知スイッチ６０１および挿入完了検知スイッチ６０２による動作を検知し、これにより、移送駆動機構７００による駆動部材６００の動作又は、停止制御を行なうようにしている。
【００６５】
挿排ホルダ５００は、利用者により挿入されたＭＤを把持するとともに、このＭＤを所定の位置まで移動させる機能を備えている。図１に示すように、挿排ホルダ５００は、平板状に形成された平板部５１０と、この平板部５１０の両端部に取り付けた一対の把持アーム５２０とにより構成されている。この把持アーム５２０の先端部には、内側に向けて凸部形状となった爪部５３０が形成されており、この爪部５３０がＭＤのカートリッジ部に形成された凹部（図示せず）に係合することにより、ＭＤを両側から把持できるようになっている。
【００６６】
また、この挿排ホルダ５００の平板部５１０の２箇所位置（図１の左右）には、長通孔５４０、５４０が形成され、これら長通孔５４０、５４０には、移動制御部材９００の摺動軸部９２０、９２０がそれぞれ嵌入されている。これによって、挿排ホルダ５００は、クランパ４００の移動にともなう、移動制御部材９００の作動によりクランパ４００の内部で、ＭＤを保持した状態で前後方向（図１の上下方向）に進退可能（移動自在）となっている。
【００６７】
（移動制御部材９００の構成および機能）
次に、移動制御部材９００の構成および機能の詳細について説明する。図１、２に示すように、移動制御部材９００は、一対のレバー部材９１０、９１０を組み合わせたＸ字型に構成されている。具体的に説明すると、移動制御部材９００を構成するレバー部材９１０、９１０のほぼ中央部には、通孔９１５が形成されるとともに、これらレバー部材９１０、９１０同士を交差させた状態で、通孔９１５には、クランパ４００の平板部４１０に立設された枢軸４６５が貫通している。
【００６８】
また、これらレバー部材９１０、９１０の前方（図１、２の下側）には、摺動軸部９２０、９２０が固設されている。前述したように、これら摺動軸部９２０、９２０は、挿排ホルダ５００に形成された長通孔５４０、５４０内に摺動自在に嵌入されている。さらに、レバー部材９１０、９１０の後方（図１、２の上側）には、長通孔９３０が形成されており、これら長通孔９３０には、ドライブシャーシ３００の平板部３１０に固設された軸部３５０が摺動自在に嵌入されている。
【００６９】
すなわち、従来のディスク記録・再生装置１００ａでは、クランパ４００と、挿排ホルダ５００とは個別に作動していたが、本実施例では、クランパ４００の前後動作にともなう挿排ホルダ５００による移動を、移動制御部材９００により連動させるようにしている。
【００７０】
具体的に説明すると、挿排ホルダ５００が後方（図１、２の上側）に向けて移動すると、これにともない、移動制御部材９００のレバー部材９１０、９１０は枢軸４６５を中心として、クランパ４００を後方に向けて、引き込むとともに、このクランパ４００を降下させる位置まで引き込むことができる構成となっている。後述するように、このときクランパ４００の動きは移動制御部材９００の作用で増幅されて（梃子の原理）、挿排ホルダ５００に伝達されているため、クランパ４００の少ない動きでＭＤを内部に引き込むことができる。
【００７１】
（ディスク記録・再生装置１００および記録・再生部８００の概略）
次いで、図３を参照して、ディスク記録・再生装置１００の内部構成および記録・再生部８００の概略を説明する。すなわち、同図に示すように、記録・再生部８００は、ピックアップ８１０と、ＭＤを載置させて回転するターンテーブル８１１の駆動（回転）を行なうターンテーブル駆動部８１６と、制御部８２０とにより構成されている。制御部８２０は、ピックアップ８１０、ターンテーブル駆動部８１６、移送駆動機構７００に対して、駆動信号を送信するとともに、各動作を統括して制御する機能を備えている。
【００７２】
また、同図に示すように、ドライブシャーシ３００とデッキシャーシ２００との間に介在する３箇所位置（図３では、２箇所を記載）でドライブシャーシ３００の揺動を防止するダンパ部材３６４により支持されている。さらに、ドライブシャーシ３００の上部４箇所位置（図３では、２箇所を記載）とデッキシャーシ２００との間には、支持スプリング３７０が取り付けられている。従って、ドライブシャーシ３００は、デッキシャーシ２００に３箇所のダンパ部材３６４と４箇所の支持スプリング３７０でフローティング可能に支持されている。
【００７３】
（ドライブシャーシ３００の構成）
以下、図面を参照して、ディスク記録・再生装置１００を構成する各部材の詳細について、説明する。ここで、図４−１は、実施例１に係るドライブシャーシ３００の全体構成を示す平面図、図４−２は、ドライブシャーシ３００の側面図を示している。また、図４−３は、図４−２に示した側板部３２０の形状を示す拡大図、図４−４は、従来のドライブシャーシ３００の側板部３２０の形状を示す図である。
【００７４】
ドライブシャーシ３００は、デッキシャーシ２００に３箇所のダンパ部材３６４（図３）と４箇所の支持スプリング３７０でフローティング可能に支持されるとともに、クランパ４００の下方に配置され、このクランパ４００に設けられた４個所の軸部４３０（図６−２）を切り欠き部３２５に係合させることにより、クランパ４００を支持する機能を備えている。
【００７５】
図４−１および図４−２に示すように、ドライブシャーシ３００は、平板部３１０と一対の側板部３２０とから成る断面コ字型に形成され、一対の側板部３２０には、４個の軸部３４０が固設されている。後述するように、これら４個の軸部３４０は、駆動部材６００（図７−２）の側板部６２０に形成された第２の溝部６４０にそれぞれ嵌入される構成となっている。
【００７６】
また、このドライブシャーシ３００を構成する平板部３１０の２箇所位置には、この平板部３１０の上方に向けて２個（一対）の軸部３５０、３５０が固設されている。前述したように、これら軸部３５０、３５０は、移動制御部材９００（図１、２）の下方部（図１、２の上側）に形成された長通孔９３０、９３０内にそれぞれ摺動自在に嵌入された状態で組み付けられる。
【００７７】
また、ドライブシャーシ３００を構成する側板部３２０の上部位置には、平行溝部３２９が形成され、さらに、この側板部３２０の上辺部３０１には、上方（図４−２の上側）に向けて開口する切り欠き部３２５が形成されている。このうち、平行溝部３２９は、ＭＤの挿入および排出動作に伴って、クランパ４００（図４−３）に固設された４個の軸部４３０を前後方向（図４−３の左右方向）に摺動させる機能を備えている。
【００７８】
また、同様に、切り欠き部３２５は、ＭＤの挿入および排出動作に伴って、クランパ４００の軸部４３０を嵌入した状態で保持するとともに上下方向（図４−３の上下方向）に昇降移動させる機能を備えている。これにより、クランパ４００は、ＭＤの挿入および排出動作に伴って、側板部３２０の上辺部３０１に沿っての前後移動および上下方向に昇降移動できるようになっている。
【００７９】
また、図４−３に示すように、クランパ４００とドライブシャーシ３００の側板部３２０との間には、引っ張りスプリング４１１が取り付けられている。この引っ張りスプリング４１１は、クランパ４００の軸部４３０を上辺部３０１に対して押圧することで、この軸部４３０を切り欠き部３２５内に確実に嵌入させる機能を備えている。
【００８０】
ここで、図４−３および図４−４を参照して、本実施例１で示したドライブシャーシ３００の構成と従来のドライブシャーシ３００の構成との差異を説明する。すなわち、図４−４に示すように、従来のドライブシャーシ３００の側板部３２０には、クランパ４００の軸部４３０を上下に昇降移動させるための切り欠き部３２５が形成されているだけであり、クランパ４００は上下動しかしていなかった。そのため、ＭＤの排出ストロークは、全て挿排ホルダ５００（図１）の移動量に頼らざるを得ず、これによって、挿排ホルダ５００の駆動機構が大型化してしまうという問題があった。
【００８１】
一方、本実施例１で示したドライブシャーシ３００の構成によると、ドライブシャーシ３００の側板部３２０に形成した切り欠き部３２５以外に、平行溝部３２９を形成することで、クランパ４００を上下方向および前後方向にスムーズに移動させることができる。すなわち、本実施例１の場合、クランパ４００が上下動だけでなく前後にも移動する。そして、クランパ４００の前後移動を増幅して挿排ホルダ５００に伝達する移動制御部材９００の作用によって、駆動機構を大型化することなく十分な排出ストロークを確保することができる。
【実施例２】
【００８２】
次に、本発明に係る実施例２によるドライブシャーシ３００の構造について説明する。ここで、図５−１は、本実施例２に係るドライブシャーシ３００の構成を示す平面図を、図５−２は、同ドライブシャーシ３００の構成を示す側面図を、図５−３は、図５−２に示した側板部３２０の形状を示す拡大図を、図５−４は、ドライブシャーシ３００とクランパ４００との組み合わせ時の斜視図をそれぞれ示している。
【００８３】
すなわち、前述した実施例１によるドライブシャーシ３００の構造の場合、平行溝部３２９を形成することにより、クランパ４００を上下方向だけでなく前後方向にも移動させることができる。ところが、この実施例１の場合、平行溝部３２９を形成するために側板部３２０の一部を延出させる必要があるため、これにより、クランパ４００の高さ位置よりもドライブシャーシ３００（側板部３２０）の高さ位置が高くなることから（図４−３の延出部Ｐ）、ディスク記録・再生装置１００全体の厚さを抑えることができなくなるという問題がある。
【００８４】
そこで、本実施例２では、図５−２〜図５−４に示すように、ドライブシャーシ３００の側板部３２０に平行溝部３２９を設けるのではなく切り欠き部３２５の近傍位置（図５−２、３の右側）にひげ状に形成された押圧ばね部材３３５を設けている。
【００８５】
すなわち、この押圧ばね部材３３５は、引っ張りスプリング４１１（図４−３）と同様に、クランパ４００の軸部４３０に対して適度な押圧力を付勢するとともに、クランパ４００の軸部４３０を、押圧ばね部材３３５と上辺部３０１との間で支持しながらクランパ４００を前後方向に移動させる機能を備えている。また、クランパ４００の軸部４３０が側板部３２０に形成された切り欠き部３２５に到達した時には、押圧ばね部材３３５の弾力により軸部４３０を切り欠き部３２５内に確実に嵌入させる機能を備えている。
【００８６】
このため、本実施例２では、従来のように側板部４２０に形成する平行溝部３２９（延出部Ｐ）が不要となり、これにより、ドライブシャーシ３００を構成する側板部３２０の高さ位置が演奏時のクランパ４００を構成する側板部４２０の上面位置よりも低くなるように構成することができ、この結果、ディスク記録・再生装置１００の厚さ寸法を抑えることができる。
【００８７】
以上説明したように、本実施例２ではドライブシャーシ３００の側板部３２０に押圧ばね部材３３５を設けているので、この押圧ばね部材３３５は、軸部４３０に押圧力を付勢しながら、この軸部４３０を側板部３２０の上辺部３０１に沿って移動させるとともに、押圧ばね部材３３５の弾力により、この軸部４３０を切り欠き部３２５内に確実に嵌入させることができるうえ、ドライブシャーシ３００を構成する側板部３２０の高さ寸法が演奏時のクランパ４００を構成する側板部４２０の上面位置よりも低くなるように構成することができる。
【００８８】
すなわち、これによって、ドライブシャーシ３００と移動制御部材９００とのクリアランス（間隔）を大きく確保することができ、この結果、ディスク記録・再生装置１００全体の厚さを抑えることができる。
【００８９】
（クランパ４００の構成）
次に、図６−１〜図６−４を参照して、クランパ４００の構成について説明する。ここで、図６−１は、クランパ４００の全体構成を示す平面図を、図６−２は、クランパ４００の側面図を示している。また、図６−３は、クランパ４００の要部斜視図を、図６−４は、図６−３に示したクランパ４００の縦断面図を示している。
【００９０】
前述したように、クランパ４００は、内部にＭＤの挿排を行なう挿排ホルダ５００（図１）を収納する機能を備えている。このため、同図に示すように、クランパ４００は、平板部４１０と一対の側板部４２０とから成る断面コ字型に形成され、その側板部４２０には４個の軸部４３０、４３０が固設されている。前述したように、これら４個の軸部４３０、４３０は、ドライブシャーシ３００の側板部３２０に形成されたきり欠き部３２５内に嵌入可能となっている。
【００９１】
また、平板部４１０の下半部には、この平板部４１０がピックアップ８１０（図１２）と干渉することを防止するための開口部４１５が形成されている。また、前述したように、平板部４１０の片側には、枢軸４６５が立設されており、この枢軸４６５は移動制御部材９００（図１）を構成する一対のレバー部材９１０の交差位置に形成された通孔９１５を貫通し、移動制御部材９００を回動可能に支持している。
【００９２】
ここで、クランパ４００は、従来のクランパの構成とは異なり、クランパ４００を構成する側板部４２０の少なくとも、ＭＤの挿入口として機能する前半部を前側板部４２１として残し、後半部を取り除いたことに特徴がある。以下、図６−２〜図６−４を参照して、このクランパ４００の特徴部分の構成について詳細に説明する。
【００９３】
すなわち、同図に示すように、本例では、クランパ４００を構成する側板部４２０の一部（ＭＤの挿入口として機能する前側板部４２１）を、ＭＤの上部をカバー（保持）するために残すようにし、後側に位置する後側板部の大半は途中で取り除く構成としている。
【００９４】
すなわち、クランパ４００の側板部４２０は、それぞれ内側に向けて９０°屈曲させた前側板部４２１と後側板部４２２として構成している。このうち、後側板部４２２は、前側板部４２１より低い位置で９０°内側に向けて屈曲させており、さらにＭＤに設けられた案内溝１１０（図６−４）に嵌入可能な位置に形成されている。
【００９５】
具体的に説明すると、図６−４に示すように、後側板部４２２の高さ寸法は、ＭＤに形成された案内溝１１０の位置と一致するように設定されている。このため、側板部４２０に形成した後側板部４２２は、クランパ４００内に挿入されたＭＤの後側を抑える機能およびＭＤの防塵シャッタ１１３（図１６）を開く機能（正確には係止ばね１１４と当接して、この係止ばね１１４の係止部１１７と係止爪１１５との係合を解除するとともに、係止爪１１５と当接して、防塵シャッタ１１３を開放側（図１６の下方）へスライドさせる機能）とを兼用する構成としている。
【００９６】
すなわち、これによって、従来のクランパのように、別途、防塵シャッタ１１３（図１６）を開閉するための側板片４１９（図１６）を設ける必要がなくなるため、クランパ４００の構造を簡易な構成とすることができる。また、この後側板部４２２の高さ寸法は、前側板部４２１と比べほぼ半分程度の高さ寸法とすることができるため、クランパ４００と移動制御部材９００（図１）との間隔（マージン）を多く確保することができるうえ、前側板部４２１と後側板部４２２とによって、ＭＤを前後両側から確実に支持することができる。
【００９７】
ここで、前述したように、前側板部４２１に対応する駆動部材６００の平板部６１０には、この前側板部４２１との干渉を防ぐための切り欠き部６１１（図７−１）を形成することにより、クランパ４００と駆動部材６００との間隔（マージン）を多く確保することができる構成とし、これによって、ディスク記録・再生装置１００全体の厚みを抑制することができるようにしている。つまり、側板部４２０の前側は、前側板部４２１のみを残し、この前側板部４２１を切り欠き部６１１と係合することにより、また、上述したように、後半側は取り除くことにより厚みの抑制を図っている。
【００９８】
さらに、上述したように、クランパ４００を構成する側板部４２０の前側部分（ＭＤの挿入口側）を前側板部４２１として残し、後側部分を取り除いた構成としているが、逆に前側板部４２１を取り除き、後側板部を残す構成としてもよく、また、前側板部４２１と後側板部との中間に位置する中間板部のみを残してもよい。
【００９９】
この場合、後側板部或いは、中間板部に対応する駆動部材６００の平板部６１０に干渉を防止するための切り欠き部６１１を形成すればよく、要するにクランパ４００内に挿入されたＭＤを保持する最低限の部分だけクランパ４００の側板部として残し、対応する位置の駆動部材６００の平板部６１０に切り欠き部６１１を設けることで、ディスク記録・再生装置１００全体の厚みの抑制を図ることができる。
【０１００】
以上説明したように、クランパ４００を構成する側板部４２０は、ＭＤの挿入口およびＭＤの前部を抑える機能を備えた前側板部４２１と、この前側板部４２１の高さ寸法のほぼ半分程度の高さに設定されている後側板部４２２とから構成され、さらに、前側板部４２１は、駆動部材６００の平板部６１０に形成された切り欠き部６１１内に嵌入するように構成されているので、ディスク記録・再生装置１００全体の厚さを抑えることができる。
【０１０１】
さらに、この側板部４２０に形成した後側板部４２２により、ＭＤの防塵シャッタ１１３の開閉を行なう構成としているため、クランパ４００に、従来のような防塵シャッタ１１３を開閉するため側板片４１９を別途設ける必要がなくなるため、クランパ４００を簡易な構成とすることができる。
【０１０２】
（駆動部材６００の構成）
次に、図７−１および図７−２を参照して、駆動部材６００の構成について説明する。ここで、図７−１は、駆動部材６００の全体構成を示す平面図、図７−２は、駆動部材６００の側面図を示している。また、図８−１は、ＭＤの挿入完了時の状態を示す要部拡大図である。また、図８−２は、ＭＤの排出時における駆動部材６００の動作を示す拡大側面図である。
【０１０３】
すなわち、同図に示すように、駆動部材６００は、平板部６１０と一対の側板部６２０とから成る断面コ字型に形成されている。また、この駆動部材６００を構成する平板部６１０の一端縁（図７−１の左側）には、片側（図７−１の左側）に向け開口する一対の切り欠き部６１１が形成されている。
【０１０４】
前述したように、これら切り欠き部６１１は、ディスク記録・再生装置１００の組み付け時に、クランパ４００（図４−１）を構成する前側板部４２１と対応する位置に形成されるとともに、切り欠き部６１１内に前側板部４２１が嵌入自在となるように構成されている。これによって、クランパ４００と駆動部材６００との間隔（マージン）を多く確保することができる構成としている。
【０１０５】
また、図７−２に示すように、その側板部６２０には、側板部６２０の上側に位置する第１の溝部６３０と、下側に位置する第２の溝部６４０とが形成されている。第１の溝部６３０は、斜行溝６３５と円孔溝６３６とから成り、この第１の溝部６３０はクランパ４００（図４−２）に固設された一対の軸部４３０を嵌入した状態で所定の位置に案内する機能を備えている。また、第２の溝部６４０は、平行溝６４５と円孔溝６４６とからなり、この第２の溝部６４０はドライブシャーシ３００（図５−２）に固設された一対の軸部３４０を嵌入した状態で所定の位置に案内する機能を備えている。
【０１０６】
ここで、駆動部材６００はクランパ４００を前後に移動するとともに、このクランパ４００を記録・再生部８００の位置まで降下させる機能を備えており、この駆動部材６００の前後移動により挿排ホルダ５００の把持アーム５２０により把持されたＭＤは、ディスク記録・再生装置１００の記録・再生部８００まで移送する機能を備えている。
【０１０７】
具体的に説明すると、この駆動部材６００の前後移動は、移送駆動機構７００による駆動力が、複数の伝達ギヤ７２０〜伝達ギヤ７４０からラックレバー６８０により伝達されて行なう構成としている。すなわち、図８−１に示すように、駆動部材６００の片側位置（図８−１の右側）には、平板状のラックレバー６８０と引っ張りばね６９０とが取り付けられ、このうちラックレバー６８０には長円孔６８１が形成され、この長円孔６８１内に一対の軸部６８２、６８３がそれぞれ係合している。
【０１０８】
また、引っ張りばね６９０の一端部（図８−１の左側）は、ラックレバー６８０の一端部（図８−１の左側）に形成された鉤部６８４に、一方、引っ張りばね６９０の他端部（図８−１の右側）は、駆動部材６００の側板部６２０に突設された鉤部６２２にそれぞれ取り付けられている。また、前述したように、このラックレバー６８０の片側（図１の内側）には、ラック歯６８６（図１）が形成され、このラック歯６８６と移送駆動機構７００を構成する伝達ギヤ７４０とが噛合自在となっている。
【０１０９】
従って、移送駆動機構７００（図１）が駆動されると、駆動モータ７０５の駆動力（回転駆動力）は、移送駆動機構７００の駆動軸に固定されたウォームギヤ７１０、伝達ギヤ７２０、伝達ギヤ７３０、伝達ギヤ７４０を介して、この伝達ギヤ７４０の回転がラックレバー６８０に伝達され、この伝達によりラックレバー６８０が前後（図８−１の左右方向）に移動することができる。この結果、図８−２に示すように、このラックレバー６８０の移動に伴って、駆動部材６００は、ＭＤの排出方向である前側（図８−２の左方向）に移動することができる。この駆動部材６００の移動についての詳細は、後述する。
【０１１０】
（ドライブシャーシ３００の高さ位置調整機構）
次いで、駆動部材６００に備えたドライブシャーシ３００に対する高さ位置調整機構について説明する。すなわち、前述した図７−１および図７−２に示す駆動部材６００は、ドライブシャーシ３００に対する高さ位置調整機構を備えることにより、ディスク記録・再生装置１００全体の厚さを抑える構成としたことに特徴がある。
【０１１１】
以下、図９を参照して、ドライブシャーシ３００の高さ位置調整機構について説明する。図９は、従来と本実施例によるクランパ４００とドライブシャーシ３００との位置関係である概略図を示している。
【０１１２】
すなわち、図９に示すように、従来では、ディスク記録・再生装置１００ａの内部に設けられたドライブシャーシ３００は、クランパ４００の排出時（ＭＤ未挿入時）およびＭＤの再生時においても、その高さ位置はほぼ一定となっている。
【０１１３】
つまり、昇降レバー６００ａ（図１５−３）に形成した第２の溝部６４０ａを構成する第２の溝部６４３の中心線Ｐ１´と平行溝６４１の中心線Ｐ２´とは、一致するように、これら第２の溝部６４３と平行溝６４１との形成位置が設定されており、これにより、ドライブシャーシ３００の高さは変化しない機構となっている。このため、ＭＤの排出時には、クランパ４００のみが所定量（距離ｈ）上昇する機構となっている。
【０１１４】
このため、従来では、ＭＤの再生時にドライブシャーシ３００の上面に当接した状態のクランパ４００は、このＭＤの排出時に所定量（ｈ）上昇した際に、昇降レバー６００ａの下面との間で、ある程度の間隔を空ける必要がある。実際には、クランパ４００の上面と昇降レバー６００の下面との間には、間隔ｍのマージンが設けられている。このため、従来のディスク記録・再生装置１００ａの高さは、高さ位置が固定であるドライブシャーシ３００と、クランパ４０の上昇量ｈと、マージン（ｍ）を考慮した厚さとしなければならないため、ディスク記録・再生装置１００ａ全体の厚さ寸法を抑えることができなかった。
【０１１５】
そこで、同図に示すように、本実施例１では、高さ位置調整機構によりＭＤの排出時には、ドライブシャーシ３００の高さ位置を下降させ、このＭＤの演奏時には、このドライブシャーシ３００の高さ位置を上昇させる構成としている。これにより、ＭＤの排出時、ドライブシャーシ３００はダンパ部材３６４を上方から抑え付けた状態で待機しているため、このダンパ部材３６４を抑え付けた高さ（潰した高さ）だけ、トータルとしての厚さを小さくすることができる。
【０１１６】
すなわち、ＭＤによる演奏時には、ダンパ部材３６４によるダンピング（フローティング）が必要なためダンパ部材３６４によるダンピングを機能させるようにしており、一方、ＭＤの排出時にはダンパ部材３６４をドライブシャーシ３００により抑え付けることによりこのダンパ部材３６４を抑え付けた高さ（潰した高さ）だけ、トータルとしての厚さを小さくすることができる。
【０１１７】
そして、フローティング機構が機能しなくてもよい排出時にのみドライブシャーシ３００の位置を下降させ、演奏時には、ドライブシャーシ３００の位置を所定量（ｈ）上昇させる構成とすることにより、クランパ４００の上面と駆動部材６００の下面とのマージン（ｍ）と、デッキシャーシ２００の上面とドライブシャーシ３００の下面とのマージン（ｍ）とをほぼ等しくすることができるため、ディスク記録・再生装置１００全体の厚さを抑え小さくすることができる。
【０１１８】
ここで、本実施例１による高さ位置調整機構は、駆動部材６００の側板部６２０に形成した第２の溝部６４０を構成する円孔溝６４６の中心線Ｐ1と平行溝６４５の中心線Ｐ2とを僅かにずらして、不一致とする構成としている（図７−２）。すなわち、これによって、駆動部材６００の移動によりドライブシャーシ３００の軸部３４０が平行溝６４５内に嵌入した時（排出時）と、この軸部３４０が円孔溝６４６内に移動した時（演奏時）とで、その高さを変化させている。
【０１１９】
この結果、上述したように、演奏時には、ドライブシャーシ３００の高さ位置を上昇させ、排出時には、ドライブシャーシ３００の位置を下降させることにより、ディスク記録・再生装置１００全体の厚さ寸法を小さくすることができる。
【０１２０】
なお、本例では、駆動部材６００の側板部６２０に形成される円孔溝６４６の中心部と平行溝６４５の中心部とを不一致とすることで、ドライブシャーシ３００の高さ位置を調整しているが、このような中心位置を不一致とする構成に限らず、ドライブシャーシ３００がＭＤの排出動作時に下降できる構成であれば、他のいずれの構成を用いてもよい。
【０１２１】
（ＭＤ挿入時の駆動部材６００およびクランパ４００の動作説明）
以下、図１０−１〜図１０−４と、図１１−１〜図１１−４とを参照して、ＭＤをディスク記録・再生装置１００に挿入した時の駆動部材６００およびクランパ４００の動作を詳細に説明する。ここで、図１０−１は、利用者がＭＤをディスク記録・再生装置１００に挿入する前の状態を、図１０−２および図１０−３は、ＭＤの挿入途中時の状態を、図１０−４は、ＭＤの挿入完了時の状態をそれぞれ示す図である。また、図１１−１〜図１１−４は、図１０−１〜図１０−４の要部を示す拡大図である。
【０１２２】
（ＭＤを挿入する前の状態）
図１０−１に示すように、ＭＤを挿入する以前、駆動部材６００は、デッキシャーシ２００の前端部の位置（図１０−１の左側）に停止しており（停止位置）、この時、クランパ４００の側板部４２０に固設された４箇所の軸部４３０（ただし、図１０−１では、手前側の２箇所のみ記載）は、第１の溝部６３０の斜行溝６３５の上部位置（垂直部）にそれぞれ嵌入されている。
【０１２３】
また、ドライブシャーシ３００の側板部３２０に固設された４箇所の軸部３４０（ただし、図１０−１では、手前側の２箇所のみ記載）は、第２の溝部６４０の平行溝６４５にそれぞれ嵌入されている。なお、この時、駆動部材６００は停止しているため挿入検知スイッチ６０１（図２）および挿入完了検知スイッチ６０２は、ともに不動作となっている。
【０１２４】
（ＭＤの挿入時の動作：クランパ４００の平行移動）
ここで、図１０−２に示すように、利用者によりクランパ４００内に挿入されたＭＤは、クランパ４００の内部に設けられた挿排ホルダ５００（図１）の把持アーム５２０に把持されるとともに、この時、挿排ホルダ５００は、ＭＤに押されて後方（図１０−２、図１１−２の右側）に向けて移動を開始する。
【０１２５】
これにより、移動制御部材９００（図１）に連結されたクランパ４００も後方に向けて移動を開始する。具体的に説明すると、挿排ホルダ５００が後方に向けて移動すると、これにともない、移動制御部材９００のレバー部材９１０、９１０は枢軸４６５を中心として、クランパ４００を後方に向けて、引き込むため、これによりクランパ４００も後退することとなる。
【０１２６】
そして、このクランパ４００の後退移動により、クランパ４００の軸部４３０が斜行溝６３５の後側（図１１−２の右側垂直部）に当接（衝合）するため、この当接にともなって、駆動部材６００は引っ張りばね６９０を後方に伸長させつつ、クランパ４００と同様に、後方に向けて移動を開始する（図１０−２）。ここで、駆動部材６００の軸部６８２、６８３は、ラックレバー６８０に形成された長円孔６８１内を摺動しながら後方へ移動する（図１１−２）。
【０１２７】
また、この時、駆動部材６００の後退移動にともない挿入検知スイッチ６０１が駆動部材６００の凸部６２１に押されて動作するため、これにより、移送駆動機構７００が動作し、この移送駆動機構７００による駆動力は、ウォームギヤ７１０から複数の伝達ギヤ７２０、７３０、７４０（図１）を介して、ラックレバー６８０に伝達される。そして、以降は、利用者が手を離しても移送駆動機構７００による動作によってＭＤの挿入動作が行なわれる。
【０１２８】
すなわち、伝達ギヤ７４０の回転駆動力（反時計方向回転）がラックレバー６８０に伝達されるため、このラックレバー６８０は後方に向けて移動を開始し、これにより、長円孔６８１の前端部（図１０−２の左側）が軸部６８２に当接するとともに、この軸部６８２を後方に向けて押すため、これにより、駆動部材６００は後方に向けて移動する。
【０１２９】
そして、この時、駆動部材６００の後退移動にともない、クランパ４００の軸部４３０は、駆動部材６００の斜行溝６３５の前側（図１１−２の左側垂直部）が当接し、この斜行溝６３５により後方に向けて押し込まれる。このため、クランパ４００は、ドライブシャーシ３００の側板部３２０の上辺部３０１をすべりながら、さらに後方へと移動を開始する（図１１−２）。このとき、移動制御部材９００の作用で挿排ホルダ５００がクランパ４００の内部に引き込まれるため、それに伴ってＭＤもクランパ４００の内部に引き込まれる。
【０１３０】
さらに、このときクランパ４００動きは移動制御部材９００の作用で増幅されて（梃子の原理）、挿排ホルダ５００に伝達されているため、クランパ４００の少ない動きでＭＤを内部に引き込むことができる。
【０１３１】
（ＭＤの挿入時の動作：クランパ４００の垂直移動）
以下、図１０−３に示すように、さらに駆動部材６００が後方に移動し、クランパ４００の軸部４３０の移動位置が切り欠き部３２５に到達すると（図１１−３）、この軸部４３０は、側板部３２０の上辺部３０１から、この切り欠き部３２５に落ち込むとともに、斜行溝６３５の斜行部に沿って降下を開始する（この時、ＭＤはその中心がドライブシャーシ３００内に搭載されたターンテーブル８１１の中心に一致する位置までクランパ４００内部に引き込まれている）。すなわち、これによりクランパ４００の位置は、垂直方向（図１１−３の下方）に向かって降下する。
【０１３２】
（ＭＤの挿入完了動作）
以下、図１０−４に示すように、さらに駆動部材６００が後方に向けて移動すると、クランパ４００の軸部４３０およびドライブシャーシ３００の軸部３４０とはそれぞれ第１、２溝部６３０、６４０の円孔溝６３６、６４６のほぼ中心部に到達する。そして、この時、図１１−４に示すように、クランパ４００の軸部４３０は、ドライブシャーシ３００の切り欠き部３２５の底部に到達するため、クランパ４００はドライブシャーシ３００に当接する。
【０１３３】
なお、この時には、駆動部材６００の凸部６２１（図２）が、挿入完了検知スイッチ６０２を押すため移送駆動機構７００による駆動が停止する。これによって、ラックレバー６８０、駆動部材６００の移動動作が終了し、ＭＤの挿入が完了することとなる。すなわち、以上の図１０−１〜図１０−４による動作により、利用者により挿入されたＭＤは、ターンテーブル８１１（図１２）上に載置され記録・再生が可能になる。
【０１３４】
なお、前述したように、クランパ４００の軸部４３０およびドライブシャーシ３００の軸部３４０は、第１、２溝部６３０、６４０の円孔溝６３６、６４６のほぼ中心部に位置するため、これら軸部３４０、４３０と駆動部材６００とは接触しておらず、ドライブシャーシ３００とクランパ４００とが一体となった状態で、デッキシャーシ２００に取り付けた４箇所の支持スプリング３７０と、３箇所のダンパ部材３６４のみでフローティング状態で支持されている（図３）。
【０１３５】
このため、デッキシャーシ２００が何らかの要因により振動した場合でも、この振動がＭＤやドライブシャーシ３００に伝達することはなく、良好な記録・再生を実現することができる。
【０１３６】
以上説明したように、本実施例１に係るディスク記録・再生装置１００によれば、移動制御部材９００を備えるので、ＭＤの挿排動作を確実に行なうことができるうえ、従来、備えていた挿排ホルダの移動を行なう挿排レバーやこの挿排レバーの駆動を行なうラックレバーなどの駆動伝達機構を不要とすることにより、ディスク記録・再生装置１００の小型化を図ることができる。
【０１３７】
また、この移動制御部材９００により、クランパ４００の前後移動に伴って、挿排ホルダ５００による移動ストロークを増幅させることができるので、ディスク記録・再生装置１００自体の大きさ（幅寸法）を抑制しながら、ＭＤを排出した際の動程を大きくすることができる。また、ＭＤの取り出し時に、このＭＤを取り出す際の充分な排出量を確保することができるうえ、利用者がＭＤを挿入する際の操作性を向上することができる。
【０１３８】
なお、上述した実施例１、２において、本発明の再生装置を音楽用のディスク記録・再生装置に適用するものとしているが、本発明は、音楽用のＭＤを記録・再生するディスク記録・再生装置だけではなくＣＤ(Compact Disk)、ＤＶＤ（Digital Video Disc）などのディスクを再生する各再生機におけるディスクの挿排機構やフロントローディング機構を対象として適用することができる。
【０１３９】
また、上述した実施例１、２では、ディスク記録・再生装置１００で使用する記録媒体をＭＤとして説明したが、本発明の再生装置は、実施例で示したＭＤのように、記録媒体は必ずしもディスク状の記録媒体だけでなく、例えば、カセットテープのようにディスク状ではない記録媒体でも適用することができる。さらに、ＩＣメモリカードなど、記録・再生のために媒体の駆動を必要としない記録媒体にも応用できることは言うまでもない。
【産業上の利用可能性】
【０１４０】
以上のように、本発明の再生装置は、自動車に搭載されるオーディオシステムを構成する車載用のディスク記録・再生装置に適している。
【図面の簡単な説明】
【０１４１】
【図１】本実施例１に係るディスク記録・再生装置の全体構成を示す概略図である。
【図２】同ＭＤの挿入完了時の状態を示す概略図である。
【図３】同ディスク記録・再生装置の内部構成および回路構成を示す概略図である。
【図４−１】本実施例１に係るドライブシャーシの構成を示す平面図である。
【図４−２】同ドライブシャーシの構成を示す側面図である。
【図４−３】図４−２に示した側板部の形状を示す拡大図である。
【図４−４】従来のドライブシャーシの側板部の形状を示す拡大図である。
【図５−１】本実施例２に係るドライブシャーシの構成を示す平面図である。
【図５−２】同ドライブシャーシの構成を示す側面図である。
【図５−３】図５−２に示した側板部の形状を示す拡大図である。
【図５−４】クランパとドライブシャーシとの組み付け状態を示す斜視図である。
【図６−１】クランパの構成を示す平面図である。
【図６−２】クランパの構成を示す側面図である。
【図６−３】クランパとドライブシャーシを示す斜視図である
【図６−４】クランパの要部を示す縦断面図である。
【図７−１】駆動部材の構成を示す平面図である。
【図７−２】駆動部材の構成を示す側面図である。
【図８−１】ＭＤの挿入完了時の状態を示す駆動部材の拡大側面図である。
【図８−２】ＭＤの排出時における駆動部材の動作を示す拡大側面図である。
【図９】従来および本実施例１によるクランパとドライブシャーシとの位置関係を示す概略図である。
【図１０−１】ＭＤをディスク記録・再生装置に挿入する前の状態を示す駆動部材の側面図である。
【図１０−２】ＭＤの挿入途中の状態を示す駆動部材の側面図である（水平移動）。
【図１０−３】ＭＤの挿入途中の状態を示す駆動部材の側面図である（垂直移動）。
【図１０−４】ＭＤの挿入完了時の状態を示す駆動部材の側面図である。
【図１１−１】図１０−１の要部拡大図である。
【図１１−２】図１０−２の要部拡大図である。
【図１１−３】図１０−３の要部拡大図である。
【図１１−４】図１０−４の要部拡大図である。
【図１２】従来のディスク記録・再生装置の要部を示す概略構成図である。
【図１３】挿排ホルダおよび昇降レバーによる移動機構の概略を説明する図である。
【図１４】同要部を示す拡大説明図である。
【図１５−１】ＭＤをディスク記録・再生装置に挿入する以前の状態を示す昇降レバーの側面図である。
【図１５−２】ＭＤの挿入途中状態を示す昇降レバーの側面図である。
【図１５−３】ＭＤの挿入完了時の状態を示す昇降レバーの側面図である。
【図１６】ＭＤの内部構成を示す概略図である。
【符号の説明】
【０１４２】
１００、１００ａ  ディスク記録・再生装置
１１０  案内溝
１１３  防塵シャッタ
２００  デッキシャーシ
３００  ドライブシャーシ
３０１  上辺部
３１０、４１０、５１０、６１０  平板部
３２０、４２０、６２０  側板部
３２５  切り欠き部
３２９  平行溝部
３３５  押圧ばね部材
３４０、３５０、４３０、６８２、６８３  軸部
４００  クランパ
４２１  前側板部
４２２  後側板部
５００  挿排ホルダ
５１１  挿排レバー
５２０  把持アーム
５３０  爪部
５４０、６８１ａ、９３０  長通孔
６００  駆動部材
６００ａ  昇降レバー
６０１  挿入検知スイッチ
６０２  挿入完了検知スイッチ
６２１  凸部
６２２、６８４  鉤部
６３０、６３０ａ  第１の溝部
６３１、６４５  平行溝
６３２、６３５  斜行溝
６３６、６４６  円孔溝
６４０、６４０ａ  第２の溝部
６８０、６８０ｂ  ラックレバー
６８５  ダボ
６８６、６８８、６８９  ラック歯
６９０、６９０ａ  引っ張りばね
７００、７００ａ  移送駆動機構
９００  移動制御部材
【図１】
2006244682.tif 000003
【図２】
2006244682.tif 000004
【図３】
2006244682.tif 000005
【図４−１】
2006244682.tif 000006
【図４−２】
2006244682.tif 000007
【図４−３】
2006244682.tif 000008
【図４−４】
2006244682.tif 000009
【図５−１】
2006244682.tif 000010
【図５−２】
2006244682.tif 000011
【図５−３】
2006244682.tif 000012
【図５−４】
2006244682.tif 000013
【図６−１】
2006244682.tif 000014
【図６−２】
2006244682.tif 000015
【図６−３】
2006244682.tif 000016
【図６−４】
2006244682.tif 000017
【図７−１】
2006244682.tif 000018
【図７−２】
2006244682.tif 000019
【図８−１】
2006244682.tif 000020
【図８−２】
2006244682.tif 000021
【図９】
2006244682.tif 000022
【図１０−１】
2006244682.tif 000023
【図１０−２】
2006244682.tif 000024
【図１０−３】
2006244682.tif 000025
【図１０−４】
2006244682.tif 000026
【図１１−１】
2006244682.tif 000027
【図１１−２】
2006244682.tif 000028
【図１１−３】
2006244682.tif 000029
【図１１−４】
2006244682.tif 000030
【図１２】
2006244682.tif 000031
【図１３】
2006244682.tif 000032
【図１４】
2006244682.tif 000033
【図１５−１】
2006244682.tif 000034
【図１５−２】
2006244682.tif 000035
【図１５−３】
2006244682.tif 000036
【図１６】
2006244682.tif 000037